(57)【要約】  移動端末及び無線周波数信号の送受信方法であって、アンテナ、及び前記アンテナと接続された無線通信送信モジュールと移動マルチメディア放送受信モジュールを含み、無線通信送信モジュールとアンテナの間に第１フィルタが接続され、移動マルチメディア放送受信モジュールとアンテナの間には第２フィルタが接続され、前記第１フィルタと第２フィルタは、無線通信送信モジュールが信号を送信する際、移動マルチメディア放送受信モジュールに対する側波帯ノイズを抑制するように設定されている。本発明の実施例は、無線通信リンクとＣＭＭＢの受信通路にフィルタを増設する方法により、無線通信送信モジュールの送信周波数帯域の側波帯ノイズを抑制し、無線通信送信モジュールとＣＭＭＢのアンテナ共用を実現することができ、端末における無線通信送信モジュールの無線周波数信号がＣＭＭＢに対して干渉するのを防止する。【選択図】図１
2015532042.tif 000002
【特許請求の範囲】
【請求項１】
移動端末であって、アンテナ、及び前記アンテナと接続された無線通信送信モジュールと移動マルチメディア放送受信モジュールを含み、前記無線通信送信モジュールと前記アンテナの間に第１フィルタが接続され、前記移動マルチメディア放送受信モジュールと前記アンテナの間には第２フィルタが接続され、
前記第１フィルタと第２フィルタは、前記無線通信送信モジュールが信号を送信する際、前記移動マルチメディア放送受信モジュールに対する側波帯ノイズを抑制するように設定された移動端末。
【請求項２】
切り替えスイッチを更に含み、前記無線通信送信モジュールは第１無線通信送信モジュールと第２無線通信送信モジュールを含み、前記第１無線通信送信モジュールと前記第２無線通信送信モジュールは前記切り替えスイッチを介して前記アンテナと接続され、
前記切り替えスイッチは、前記第１無線通信送信モジュール又は前記第２無線通信送信モジュールの信号を前記アンテナに送信するように制御するように設定された請求項１に記載の移動端末。
【請求項３】
前記第１フィルタがバンドパスフィルタであり、前記切り替えスイッチは前記バンドパスフィルタを介して前記アンテナと接続された請求項２に記載の移動端末。
【請求項４】
前記第１フィルタは、第１ハイパスフィルタと第１ローパスフィルタを含み、前記第１無線通信送信モジュールは前記第１ハイパスフィルタを介して前記切り替えスイッチと接続され、前記第２無線通信送信モジュールは前記第１ローパスフィルタを介して前記切り替えスイッチと接続された請求項２に記載の移動端末。
【請求項５】
前記移動マルチメディア放送受信モジュールは、第１移動マルチメディア放送受信モジュールと第２移動マルチメディア放送受信モジュールを含み、前記第２フィルタがバンドストップフィルタであり、前記第１移動マルチメディア放送受信モジュールと前記第２移動マルチメディア放送受信モジュールはそれぞれ前記バンドストップフィルタを介して前記アンテナと接続された請求項３又は４に記載の移動端末。
【請求項６】
前記移動マルチメディア放送受信モジュールは、第１移動マルチメディア放送受信モジュールと第２移動マルチメディア放送受信モジュールを含み、前記第２フィルタは、第２ローパスフィルタと第２ハイパスフィルタを含み、前記第１移動マルチメディア放送受信モジュールは前記第２ローパスフィルタを介して前記アンテナと接続され、前記第２移動マルチメディア放送受信モジュールは前記第２ハイパスフィルタを介して前記アンテナと接続された請求項３又は４に記載の移動端末。
【請求項７】
前記第１無線通信送信モジュールがグローバル移動通信システム(ＧＳＭ)９００の無線通信送信モジュールであり、前記第２無線通信送信モジュールがパーソナル通信サービス(ＰＣＳ)１９００の無線通信送信モジュールであり、前記第１移動マルチメディア放送受信モジュールが中国モバイルマルチメディア放送(ＣＭＭＢ)のＵ周波数帯受信モジュールであり、前記第２移動マルチメディア放送受信モジュールがＣＭＭＢのＳ周波数帯受信モジュールである請求項６に記載の移動端末。
【請求項８】
無線周波数信号の送受信方法であって、
移動端末は、無線通信サービスと移動マルチメディア放送サービスが並行する場合、送信しようとする無線通信サービスの信号をフィルタリングし、無線通信サービスの信号を送信することによる移動マルチメディア放送サービスの信号に対する側波帯ノイズを抑制し、アンテナを介して無線通信サービスの信号を送信することと、
前記移動端末は、同時に前記アンテナを介して移動マルチメディア放送サービスの信号を受信し、前記移動マルチメディア放送サービスの信号をフィルタリングし、無線通信サービスの信号を送信することによる移動マルチメディア放送サービスの信号に対する側波帯ノイズを抑制することと、を含む無線周波数信号の送受信方法。
【請求項９】
前記移動端末は、第１無線通信送信モジュールと第２無線通信送信モジュールを含み、前記第１無線通信送信モジュールと前記第２無線通信送信モジュールが送信した無線通信サービスの信号は何れもバンドパスフィルタでフィルタリングされ、又は、前記第１無線通信送信モジュールが送信した無線通信サービスの信号は第１ハイパスフィルタでフィルタリングされ、前記第２無線通信送信モジュールが送信した無線通信サービスの信号は第１ローパスフィルタでフィルタリングされる請求項８に記載の方法。
【請求項１０】
前記移動端末は、第１移動マルチメディア放送受信モジュールと第２移動マルチメディア放送受信モジュールを含み、前記第１移動マルチメディア放送受信モジュールと前記第２移動マルチメディア放送受信モジュールが受信した移動マルチメディア放送サービスの信号は何れもバンドストップフィルタでフィルタリングされ、又は、前記第１移動マルチメディア放送受信モジュールが受信した移動マルチメディア放送サービスの信号は第２ローパスフィルタでフィルタリングされ、前記第２移動マルチメディア放送受信モジュールが受信した移動マルチメディア放送サービスの信号は第２ハイパスフィルタでフィルタリングされる請求項８に記載の方法。
【発明の詳細な説明】
【技術分野】
【０００１】
本発明は、移動通信及び移動マルチメディア放送の技術分野に関し、特に移動端末及び無線周波数信号の送受信方法に関する。
【背景技術】
【０００２】
中国モバイルマルチメディア放送（China Mobile Multimedia Broadcasting，ＣＭＭＢ）は、モバイルテレビ受信標準ＳＴｉＭｉを採用し、該標準は３０MHz〜３０００MHzの周波数範囲内の放送サービス周波数に適用され、ＣＭＭＢは、衛星と地上によりテレビ、放送、データ情報などのマルチメディア信号を無線送信する放送システムであり、国内ローミングを実現することができる。ＣＭＭＢは、２セットの受信システムを採用して、同時にＵ周波数帯（４７０MHz〜７９８MHz）とＳ周波数帯（２６３５〜２６６０MHz）をサポートし、Ｕ周波数帯は、地上中継ネットワークからの信号を受信し、Ｓ周波数帯は、衛星からのテレビ放送信号を受信する。
【０００３】
現在、全てのＣＭＭＢ端末手段は、全て独立的なアンテナを採用してＣＭＭＢの受信を実現しており、これは、携帯電話端末の通信周波数帯域がＣＭＭＢの周波数帯域と非常に近接し、携帯電話通信モジュールの側波帯ノイズがＣＭＭＢの受信周波数帯域内にあるためで、ＣＭＭＢの受信に干渉を発生し、受信感度に影響し、受信した番組にエラーコードが出現することを引き起こし、特にグローバル移動通信システム（ＧＳＭ）９００の送信周波数帯域（８８０MHz〜９１５MHz）とＣＭＭＢのＵ受信周波数帯域（４７０MHz〜７９８MHz）とは非常に近接し、ＣＭＭＢの受信に対する影響がより大きく、３ＧＰＰプロトコルにおけるストレイに対する試験標準によると、ＧＳＭ９００は、Ｕ周波数帯でストレイに対する最小要求が−３６dBm＠３MHzであり、ＣＭＭＢのＵ周波数帯の受信感度は−９５dBm@８MHzよりも高いと要求され、同じ周波数干渉は９.２dBよりも低いと要求され、同じ周波数干渉は−８５.８dBm＠８MHzよりも大きくすることができないと推定される。最悪の場合には、ＧＳＭ９００送信による側波帯ノイズのＵ周波数帯が−３６dBm＠３MHzであり、ＣＭＭＢが受けられる同じ周波数干渉を大幅に超えると考えられるからである。
【０００４】
また、パーソナル通信サービス（ＰＣＳ）１９００の送信周波数帯域（１８５０MHz〜１９１０MHz）とＣＭＭＢのＳ受信周波数帯域も非常に近接し、ＣＭＭＢのＳ周波数帯受信にも影響するが、影響はＧＳＭ９００と比べてわずかに小さくなり、これらの周波数帯域の干渉を低減するために、現在の一般的な手段は、ＣＭＭＢと通信モジュールがそれぞれアンテナを個別に設置する方式を採用して空間で分離され、空間での分離度を向上させることによって、ＣＭＭＢが同じ周波数干渉を受けることを避ける。しかし、このような方式は、構造設計の難しさが増加するとともに、ハードウェアのコストが高い。
【発明の概要】
【発明が解決しようとする課題】
【０００５】
本発明の実施例が解決しようとする技術的課題は、同一のアンテナを採用して無線通信と移動マルチメディア放送を実現することができる移動端末及び無線周波数信号の送受信方法を提供することである。
【課題を解決するための手段】
【０００６】
上記技術的課題を解決するために、本発明の実施例の移動端末は、アンテナ、及び前記アンテナと接続された無線通信送信モジュールと移動マルチメディア放送受信モジュールを含み、前記無線通信送信モジュールと前記アンテナの間に第１フィルタが接続され、前記移動マルチメディア放送受信モジュールと前記アンテナの間には第２フィルタが接続され、
前記第１フィルタと第２フィルタは、前記無線通信送信モジュールが信号を送信する際、前記移動マルチメディア放送受信モジュールに対する側波帯ノイズを抑制するように設定されている。
【０００７】
選択的に、前記移動端末は切り替えスイッチを更に含み、前記無線通信送信モジュールは第１無線通信送信モジュールと第２無線通信送信モジュールを含み、前記第１無線通信送信モジュールと前記第２無線通信送信モジュールは切り替えスイッチを介して前記アンテナと接続され、
前記切り替えスイッチは、前記第１無線通信送信モジュール又は前記第２無線通信送信モジュールの信号を前記アンテナに送信するように制御するように設定されている。
【０００８】
選択的に、前記第１フィルタがバンドパスフィルタであり、前記切り替えスイッチは前記バンドパスフィルタを介して前記アンテナと接続されている。
【０００９】
選択的に、前記第１フィルタは、第１ハイパスフィルタと第１ローパスフィルタを含み、前記第１無線通信送信モジュールは前記第１ハイパスフィルタを介して前記切り替えスイッチと接続され、前記第２無線通信送信モジュールは前記第１ローパスフィルタを介して前記切り替えスイッチと接続されている。
【００１０】
選択的に、前記移動マルチメディア放送受信モジュールは、第１移動マルチメディア放送受信モジュールと第２移動マルチメディア放送受信モジュールを含み、前記第２フィルタがバンドストップフィルタであり、前記第１移動マルチメディア放送受信モジュールと前記第２移動マルチメディア放送受信モジュールはそれぞれ前記バンドストップフィルタを介して前記アンテナと接続されている。
【００１１】
選択的に、前記移動マルチメディア放送受信モジュールは、第１移動マルチメディア放送受信モジュールと第２移動マルチメディア放送受信モジュールを含み、前記第２フィルタは、第２ローパスフィルタと第２ハイパスフィルタを含み、前記第１移動マルチメディア放送受信モジュールは前記第２ローパスフィルタを介して前記アンテナと接続され、前記第２移動マルチメディア放送受信モジュールは前記第２ハイパスフィルタを介して前記アンテナと接続されている。
【００１２】
選択的に、前記第1無線通信送信モジュールがグローバル移動通信システム(ＧＳＭ)９００の無線通信送信モジュールであり、前記第２無線通信送信モジュールがパーソナル通信サービス(ＰＣＳ)１９００の無線通信送信モジュールであり、前記第１移動マルチメディア放送受信モジュールが中国モバイルマルチメディア放送(ＣＭＭＢ)のＵ周波数帯受信モジュールであり、前記第２移動マルチメディア放送受信モジュールがＣＭＭＢのＳ周波数帯受信モジュールである。
【００１３】
本発明の実施例の無線周波数信号の送受信方法であって、
移動端末は、無線通信サービスと移動マルチメディア放送サービスが並行する場合、送信しようとする無線通信サービスの信号をフィルタリングし、無線通信サービスの信号を送信することによる移動マルチメディア放送サービスの信号に対する側波帯ノイズを抑制し、アンテナを介して無線通信サービスの信号を送信することと、
前記移動端末は、同時に前記アンテナを介して移動マルチメディア放送サービスの信号を受信し、前記移動マルチメディア放送サービスの信号をフィルタリングし、無線通信サービスの信号を送信することによる移動マルチメディア放送サービスの信号に対する側波帯ノイズを抑制することと、を含む。
【００１４】
選択的に、前記移動端末は、第１無線通信送信モジュールと第２無線通信送信モジュールを含み、前記第１無線通信送信モジュールと前記第２無線通信送信モジュールが送信した無線通信サービスの信号は何れもバンドパスフィルタでフィルタリングされ、又は、前記第１無線通信送信モジュールが送信した無線通信サービスの信号は第１ハイパスフィルタでフィルタリングされ、前記第２無線通信送信モジュールが送信した無線通信サービスの信号は第１ローパスフィルタでフィルタリングされる。
【００１５】
選択的に、前記移動端末は、第１移動マルチメディア放送受信モジュールと第２移動マルチメディア放送受信モジュールを含み、前記第１移動マルチメディア放送受信モジュールと前記第２移動マルチメディア放送受信モジュールが受信した移動マルチメディア放送サービスの信号は何れもバンドストップフィルタでフィルタリングされ、又は、前記第１移動マルチメディア放送受信モジュールが受信した移動マルチメディア放送サービスの信号は第２ローパスフィルタでフィルタリングされ、前記第２移動マルチメディア放送受信モジュールが受信した移動マルチメディア放送サービスの信号は第２ハイパスフィルタでフィルタリングされる。
【発明の効果】
【００１６】
以上のように、本発明の実施例は無線通信リンクとＣＭＭＢ受信通路にフィルタを増設する方法により、無線通信送信モジュールの送信周波数帯域の側波帯ノイズを抑制し、無線通信送信モジュールとＣＭＭＢのアンテナ共用を実現することができ、端末における無線通信送信モジュールの無線周波数信号がＣＭＭＢに対して干渉するのを防止し、本発明の実施例における無線通信送信モジュールＧＳＭ９００／ＰＣＳ１９００の周波数帯域とＣＭＭＢのＵ／Ｓ周波数帯は１つのアンテナを共用することができ、構造設計の難しさとハードウェアのコストを低減し、同時に２つの無線周波数システムは一緒に作動することができ、無線通信送信モジュールがＣＭＭＢの受信性能に干渉しない。
【図面の簡単な説明】
【００１７】
【図１】図１は、本発明の実施例の移動端末のシステムブロック図である。
【図２】図２は、本発明の実施例の移動端末のシステムブロック図である。
【図３】図３は、本発明の実施例の移動端末のシステムブロック図である。
【図４】図４は、本発明の実施例の移動端末のシステムブロック図である。
【図５】図５は、本発明の実施例に採用するバンドパスフィルタが達成しようとする「振幅の幅〜周波数」特性の模式図である。
【図６】図６は、本発明の実施例に採用するバンドストップフィルタが達成しようとする「振幅の幅〜周波数」特性の模式図である。
【図７】図７は、本発明の実施例に採用する第１ハイパスフィルタが達成しようとする「振幅の幅〜周波数」特性の模式図である。
【図８】図８は、本発明の実施例に採用する第１ローパスフィルタが達成しようとする「振幅の幅〜周波数」特性の模式図である
【図９】図９は、本発明の実施例に採用する第２ハイパスフィルタが達成しようとする「振幅の幅〜周波数」特性の模式図である。
【図１０】図１０は、本発明の実施例に採用する第２ローパスフィルタが達成しようとする「振幅の幅〜周波数」特性の模式図である。
【発明を実施するための形態】
【００１８】
以下、図面を参照しながら、本発明の実施例を詳しく説明する。なお、矛盾が生じない場合に、本出願における実施例及び実施例における特徴を互いに任意に組み合わせることができる。
【００１９】
本発明の実施例は、それぞれ無線通信送信モジュールのブランチにフィルタを増設する方法とＣＭＭＢの受信ブランチにフィルタを増設する方法により、アンテナを共用する際、ＣＭＭＢのＵ周波数帯とＳ周波数帯が同じ周波数干渉を受信する技術的問題を解決する。
【００２０】
本実施形態の移動端末は、アンテナと、無線通信送信モジュールと、移動マルチメディア放送受信モジュールと、第１フィルタ及び第２フィルタとを含み、アンテナは、それぞれ無線通信送信モジュールと移動マルチメディア放送受信モジュールに接続され、第１フィルタは、無線通信送信モジュールとアンテナの間に接続され、第２フィルタは、移動マルチメディア放送受信モジュールとアンテナの間に接続され、第１フィルタと第２フィルタは、無線通信送信モジュールが信号を送信する際、移動マルチメディア放送受信モジュールに対する側波帯ノイズを抑制するように設定されている。
【００２１】
以下、図面を参照しながら、本実施形態の移動端末を説明する。
【００２２】
図１に示すように、無線通信送信モジュールは、第１無線通信送信モジュールと第２無線通信送信モジュールを含み、移動マルチメディア放送受信モジュールは、第１移動マルチメディア放送受信モジュールと第２移動マルチメディア放送受信モジュールを含み、第１無線通信送信モジュールと第２無線通信送信モジュールは、切り替えスイッチを介してアンテナと接続され、切り替えスイッチは、第１無線通信送信モジュールの信号をアンテナに送信するか、又は第２無線通信送信モジュールの信号をアンテナに送信するかを制御する。
【００２３】
図１において、第１フィルタはバンドパスフィルタであり、第１無線通信送信モジュールと第２無線通信送信モジュールは、それぞれ切り替えスイッチと接続され、切り替えスイッチは、更にバンドパスフィルタと接続され、バンドパスフィルタは、アンテナに接続されている。第２フィルタはバンドストップフィルタであり、第１移動マルチメディア放送受信モジュールと第２移動マルチメディア放送受信モジュールは、それぞれバンドストップフィルタと接続され、バンドストップフィルタは、更にアンテナに接続されている。
【００２４】
第１無線通信送信モジュールはＧＳＭ９００無線通信送信モジュールであり、第２無線通信送信モジュールはＰＣＳ１９００無線通信送信モジュールであり、第１移動マルチメディア放送受信モジュールはＣＭＭＢのＵ周波数帯受信モジュールであり、第２移動マルチメディア放送受信モジュールはＣＭＭＢのＳ周波数帯受信モジュールである。
【００２５】
アンテナと無線通信送信モジュールの間にバンドパスフィルタを増設し、このフィルタは、ＧＳＭ９００とＰＣＳ１９００の送信周波数帯域の信号を順調に通過させることができるが、ＣＭＭＢのＵ周波数帯とＳ周波数帯の側波帯ノイズは大幅に減衰させ、ＧＳＭ９００の送信がＵ周波数帯で発生する側波帯干渉を効果的に抑制することができ、ＰＣＳ１９００の送信がＳ周波数帯で発生する側波帯干渉を効果的に抑制することができ、ＣＭＭＢが受信した同じ周波数干渉を減少する。
【００２６】
アンテナと、ＣＭＭＢのＵ周波数帯とＳ周波数帯の受信通路との間に、バンドストップフィルタを増設し、ＧＳＭ９００とＰＣＳ１９００の送信周波数帯域の側波帯信号を再度効果的に抑制するが、ＣＭＭＢの信号に対して何れの減衰がない。
【００２７】
図２に示すように、本実施形態においては、第１フィルタは、第１ハイパスフィルタと第１ローパスフィルタを含み、第１ハイパスフィルタは、第１無線通信送信モジュールと切り替えスイッチと接続され、第１ローパスフィルタは、第２無線通信送信モジュールと切り替えスイッチと接続され、切り替えスイッチは、更にアンテナと接続されている。第２フィルタは、第２ローパスフィルタと第２ハイパスフィルタを含み、第２ローパスフィルタは、それぞれ第１移動マルチメディア放送受信モジュールとアンテナと接続され、第２ハイパスフィルタは、それぞれ第２移動マルチメディア放送受信モジュールとアンテナとに接続されている。
【００２８】
図３に示すように、本実施形態においては、第１フィルタは、バンドパスフィルタであり、第１無線通信送信モジュールと第２無線通信送信モジュールは、それぞれ切り替えスイッチと接続され、切り替えスイッチは、更にバンドパスフィルタと接続され、バンドパスフィルタは、アンテナと接続されている。第２フィルタは、第２ローパスフィルタと第２ハイパスフィルタを含み、第２ローパスフィルタは、それぞれ第１移動マルチメディア放送受信モジュールとアンテナと接続され、第２ハイパスフィルタは、それぞれ第２移動マルチメディア放送受信モジュールとアンテナと接続されている。
【００２９】
図４に示すように、本実施形態においては、第１フィルタは、第１ハイパスフィルタと第１ローパスフィルタを含み、第１ハイパスフィルタは、第１無線通信送信モジュールと切り替えスイッチと接続され、第１ローパスフィルタは、第２無線通信送信モジュールと切り替えスイッチと接続され、切り替えスイッチは、更にアンテナと接続されている。第２フィルタは、バンドストップフィルタであり、第１移動マルチメディア放送受信モジュールと第２移動マルチメディア放送受信モジュールは、それぞれバンドストップフィルタと接続され、バンドストップフィルタは、更にアンテナと接続されている。
【００３０】
以下、それぞれ本実施形態が、どのようにアンテナ共用手段において、ＧＳＭ９００送信周波数帯域がＣＭＭＢのＵ周波数帯受信に対する同じ周波数干渉を、及びＰＣＳ１９００送信周波数帯域がＣＭＭＢのＳ周波数帯受信に対する同じ周波数干渉を除去するかを説明する。
【００３１】
図１を参照して、通常の待機状態の下では、通信モジュールとＣＭＭＢモジュールはそれぞれ無線周波数の受信状態にあり、通信モジュールにおけるＧＳＭ９００の送信周波数帯域がＣＭＭＢを干渉しない。起動する際、ＧＳＭ９００がネットワークを検索し始め、登録が成功した後、待機のアイコンが見え、ＣＭＭＢモジュールも信号を受信した後、待機状態にある。ＣＭＭＢ放送を起動した後、ＣＭＭＢは通常の受信状態にある。ＧＳＭ９００が着信を有する際、ユーザが応答した後、通信モジュールは通話状態にあり、ＧＳＭ９００無線通信送信モジュールの最大電力が３３dBmであり、Ｕ周波数帯で側波帯ノイズが−３６dBm＠３MHzであり、図５に示すバンドパスフィルタの２３dBの減衰を経た後、ＧＳＭ９００の側波帯ノイズが−６４dBm＠１MHzに低減され、ＣＭＭＢのチャネル帯域幅が８MHzであるので、更に図６に示すバンドストップフィルタの３５dBの減衰を経た後、ＣＭＭＢのＵ周波数帯受信モジュールの同じ周波数干渉信号である−９９dBm＠１MHzに達する。また、ＣＭＭＢプロトコルから、Ｕ周波数帯は受信感度が−９９dBm＠１MHzである場合、耐えられる最大の同じ周波数干渉が−８９.８dBmであることを検出することができ、前の計算結果から、ＧＳＭ９００ の側波帯による干渉がＣＭＭＢの耐えられる限界状況よりも小さく、Ｕ周波数帯のＣＭＭＢ受信機を干渉しなく、ＣＭＭＢのテレビ番組信号が正常に復調されることができることを保証し、ユーザの視聴に影響しないことが見出せる。
【００３２】
以下、本実施形態は、どのようにして、アンテナを共用する際、ＰＣＳ１９００周波数帯域がＣＭＭＢのＳ周波数帯受信に対する同じ周波数干渉を除去することを説明する。通常の待機状態の下では、通信モジュールとＣＭＭＢモジュールは、それぞれ無線周波数受信状態にあり、通信モジュールにおけるＰＣＳ１９００無線通信送信モジュールがＣＭＭＢを干渉しない。起動する際、ＰＣＳ１９００がネットワークを検索し始め、登録が成功した後、待機のアイコンが見え、ＣＭＭＢモジュールも信号を受信した後、待機状態にある。ＣＭＭＢ放送を起動した後、ＣＭＭＢは通常の受信状態にある。ＰＣＳ１９００が着信を有する際、ユーザが応答した後、通信モジュールが通話状態にあり、ＰＣＳ１９００無線通信送信モジュールの最大電力が３０dBmであり、Ｓ周波数帯で側波帯ノイズが−３０dBm＠３MHzであり、図５に示すバンドパスフィルタの３０dBの減衰を経た後、ＰＣＳ１９００の側波帯のノイズ信号が−６５dBm＠１MHzに低減され、ＣＭＭＢのチャネル帯域幅が８MHzであるので、更に図６に示すバンドストップフィルタの３４dBの減衰を経た後、ＣＭＭＢのＳ周波数帯受信チップの同じ周波数干渉信号である−９９dBm＠１MHzに達する。Ｓ周波数帯は受信感度が−９９dBmである場合、耐えられる最大の同じ周波数干渉が−８９.８dBmであり、前の計算結果から、ＰＣＳ１９００の側波帯による干渉がＣＭＭＢの耐えられる限界状況よりも小さく、Ｓ周波数帯のＣＭＭＢ受信機を干渉しなく、ＣＭＭＢのテレビ番組信号が正常に復調されることができることを保証し、ユーザの視聴に影響しないことが見出せる。
【００３３】
図２〜図４の手段において、バンドパスフィルタは、第１ハイパスフィルタと第１ローパスフィルタで代替してもよく、「振幅の幅〜周波数」特性はそれぞれ図７と図８に示すようであり、バンドストップフィルタは、第２ハイパスフィルタと第２ローパスフィルタで代替してもよく、「振幅の幅〜周波数」特性はそれぞれ図９と図１０に示すようである。非一体型切り替えスイッチとＣＭＭＢモジュールに対して、図２〜図４の手段はより柔軟で、フィルタの実現もより簡単で、キャパシタンスとインダクタンスを採用してフィルタリングを完全に実現することができ、コストもより低い。
【００３４】
本実施形態は、更に無線周波数信号の送受信方法を提供し、移動端末は無線通信サービスと移動マルチメディア放送サービスが並行する際、送信しようとする無線通信サービスの信号をフィルタリングし、無線通信サービスの信号を送信することによる移動マルチメディア放送サービスの信号に対する側波帯ノイズを抑制し、アンテナを介して無線通信サービスの信号を送信すること、及び同時にアンテナを介して移動マルチメディア放送サービスの信号を受信し、移動マルチメディア放送サービスの信号をフィルタリングし、無線通信サービスの信号を送信することによる移動マルチメディア放送サービスの信号に対する側波帯ノイズを抑制すること、を含む。
【００３５】
第１無線通信送信モジュールと第２無線通信送信モジュールが送信した無線通信サービスの信号は、何れもバンドパスフィルタでフィルタリングされ、又は、第１無線通信送信モジュールが送信した無線通信サービスの信号は、第１ハイパスフィルタでフィルタリングされ、第２無線通信送信モジュールが送信した無線通信サービスの信号は、第１ローパスフィルタでフィルタリングされる。
【００３６】
第１移動マルチメディア放送受信モジュールと第２移動マルチメディア放送受信モジュールが受信した移動マルチメディア放送サービスの信号は、何れもバンドストップフィルタでフィルタリングされ、又は、第１移動マルチメディア放送受信モジュールが受信した移動マルチメディア放送サービスの信号は、第２ローパスフィルタでフィルタリングされ、第２移動マルチメディア放送受信モジュールが受信した移動マルチメディア放送サービスの信号は、第２ハイパスフィルタでフィルタリングされる。
【００３７】
明らかなように、当業者は、上記の本発明の実施例の各モジュール又は各ステップは汎用の計算装置によって実現することができ、それらは単一の計算装置に集積してよいし、又は複数の計算装置からなるネットワークに分布されてもよく、選択的に、それらは、計算装置が実行可能なプログラムコードで実現してよく、それにより、それらを記憶装置に記憶して計算装置で実行してよく、又は、それらをそれぞれ各集積回路モジュールに製造して、又は、それらにおける複数のモジュール又はステップを単一の集積回路モジュールに製造して実現してよいことを、了解すべきである。このように、本発明の実施例は、如何なる特定なハードウェアとソフトウェアの組み合わせに限定されるものではない。
【００３８】
前記のものは単に本発明の好ましい実施例であるだけに過ぎず、本発明を限定するためのものではない。当業者にとっては、本発明の実施例は各種の変更や変形が可能である。本発明の実施例の主旨と理念にある限り、行った何れの修正、等価置き換え、改善などは、いずれも本発明の保護範囲に含まれるべきである。
【産業上の利用可能性】
【００３９】
本発明の実施例は、無線通信リンクとＣＭＭＢ受信通路にフィルタを増設する方法により、無線通信送信モジュールの送信周波数帯域の側波帯ノイズを抑制し、無線通信送信モジュールとＣＭＭＢのアンテナ共用を実現することができ、端末における無線通信送信モジュールの無線周波数信号がＣＭＭＢに対して干渉するのを防止し、本発明の実施例における無線通信送信モジュールＧＳＭ９００／ＰＣＳ１９００の周波数帯域とＣＭＭＢのＵ／Ｓ周波数帯は１つのアンテナを共用することができ、構造設計の難しさとハードウェアのコストを低減し、同時に２つの無線周波数システムは一緒に作動することができ、無線通信送信モジュールがＣＭＭＢの受信性能に干渉しない。
【図１】
2015532042.tif 000003
【図２】
2015532042.tif 000004
【図３】
2015532042.tif 000005
【図４】
2015532042.tif 000006
【図５】
2015532042.tif 000007
【図６】
2015532042.tif 000008
【図７】
2015532042.tif 000009
【図８】
2015532042.tif 000010
【図９】
2015532042.tif 000011
【図１０】
2015532042.tif 000012
【国際調査報告】
2015532042.tif 000013
2015532042.tif 000014
2015532042.tif 000015
2015532042.tif 000016